【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
タッチ駆動電極と、
前記タッチ駆動電極と対向して、または並んで設けられ、前記タッチ駆動電極との間に静電容量を形成するタッチ検出電極と、
前記タッチ駆動電極に対してタッチセンサ用駆動信号を印加することにより前記タッチ検出電極から得られる検出信号に基づき、物体が接触または近接する位置を検出するタッチ検出回路と
を備え、
前記タッチ駆動電極がストライプ状の複数の電極パターンに分割されていると共に、これら複数の電極パターンのうちの一部の電極パターンに対して前記タッチセンサ用駆動信号が印加されることにより、その時点での駆動ラインが形成されるようになされており、
前記タッチ検出回路は、第１の期間において形成される第１駆動ラインから得られる第１検出信号と、前記第１の期間とは異なる第２の期間において形成される、前記第１駆動ラインよりもライン幅が小さい第２駆動ラインから得られる第２検出信号とに基づいて、検出動作を行う
タッチセンサ。
【請求項２】
前記タッチ検出回路は、前記第１検出信号と前記第２検出信号との差分信号に基づいて、検出動作を行う
請求項１に記載のタッチセンサ。
【請求項３】
前記第１の期間と前記第２の期間とが、１対１の時間比率で交互に設定されている
請求項１または請求項２に記載のタッチセンサ。
【請求項４】
前記第１の期間と前記第２の期間とが、ｎ（ｎ：２以上の整数）対１の時間比率で交互に設定されていると共に、
前記第１駆動ラインが、位置検出用駆動ラインを含んで構成され、
前記第１の期間内において、前記位置検出用駆動ラインに対して順次駆動動作がなされるように構成されている
請求項１または請求項２に記載のタッチセンサ。
【請求項５】
前記第１駆動ラインが、前記位置検出用駆動ラインと、前記第２駆動ラインとライン幅が等しいノイズ検出用駆動ラインとにより構成されている
請求項４に記載のタッチセンサ。
【請求項６】
前記第１の期間と前記第２の期間とが１対１の時間比率で交互に設定されている第１の検出モードと、
前記第１の期間と前記第２の期間とがｎ（ｎ：２以上の整数）対１の時間比率で交互に設定されていると共に、前記第１駆動ラインが位置検出用駆動ラインを含んで構成され、かつ前記第１の期間内において前記位置検出用駆動ラインに対して順次駆動動作がなされるように構成されている第２の検出モードと
の間で、検出モードの切換が可能となるように構成されている
請求項１または請求項２に記載のタッチセンサ。
【請求項７】
前記第１駆動ラインが、前記位置検出用駆動ラインと、前記第２駆動ラインとライン幅が等しいノイズ検出用駆動ラインとにより構成されている
請求項６に記載のタッチセンサ。
【請求項８】
前記第１の期間と前記第２の期間とが、時分割で交互に設定されていると共に、
前記第１駆動ラインが、位置検出用駆動ラインを含んで構成され、
前記第１の期間同士において、前記位置検出用駆動ラインが、前記タッチ駆動電極内で互いに異なる任意の位置に設定されている
請求項１ないし請求項７のいずれか１項に記載のタッチセンサ。
【請求項９】
前記第１駆動ラインが、前記位置検出用駆動ラインと、前記第２駆動ラインとライン幅が等しいノイズ検出用駆動ラインとにより構成されている
請求項８に記載のタッチセンサ。
【請求項１０】
前記第１の期間における前記第１駆動ラインと、前記第２の期間における前記第２駆動ラインとが、前記タッチ駆動電極内で互いに略同一のラインに位置している
請求項１ないし請求項９のいずれか１項に記載のタッチセンサ。
【請求項１１】
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して、または並んで設けられ、前記共通電極との間に静電容量を形成するタッチ検出電極と、
前記表示制御回路により前記共通電極に印加される表示用駆動電圧をタッチセンサ用駆動信号として利用し、前記タッチ検出電極から得られる検出信号に基づき、物体が接触または近接する位置の検出動作を行うタッチ検出回路と
を備え、
前記共通電極がストライプ状の複数の電極パターンに分割されていると共に、これら複数の電極パターンのうちの一部の電極パターンに対して前記タッチセンサ用駆動信号が印加されることにより、その時点での駆動ラインが形成されるようになされており、
前記タッチ検出回路は、第１の期間において形成される第１駆動ラインから得られる第１検出信号と、前記第１の期間とは異なる第２の期間において形成される、前記第１駆動ラインよりもライン幅が小さい第２駆動ラインから得られる第２検出信号とに基づいて、検出動作を行う
表示装置。
【請求項１２】
前記タッチ検出回路は、前記第１検出信号と前記第２検出信号との差分信号に基づいて、検出動作を行う
請求項１１に記載の表示装置。
【請求項１３】
前記第１駆動ラインが、位置検出用駆動ラインと、前記第２駆動ラインとライン幅が等しいノイズ検出用駆動ラインとにより構成され、
前記ノイズ検出用駆動ラインおよび前記第２駆動ラインがそれぞれ、前記表示制御回路により画像表示を行うための画像表示用駆動ラインと共通化されている
請求項１１または請求項１２に記載の表示装置。
【請求項１４】
前記表示制御回路は、前記複数の電極パターンのうちの一部である２以上の電極パターンを束ねてなる前記駆動ラインに対し、順次駆動動作を行う
請求項１１ないし請求項１３のいずれか１項に記載の表示装置。
【請求項１５】
前記表示制御回路が形成された回路基板と、
前記回路基板と対向して配設された対向基板と
を備え、
前記表示画素電極が、前記回路基板の、前記対向基板に近い側に配設され、
前記共通電極が、前記対向基板の、前記回路基板に近い側に配設され、
前記回路基板の前記表示画素電極と、前記対向基板の前記共通電極との間に、前記表示機能層が挿設されている
請求項１１ないし請求項１４のいずれか１項に記載の表示装置。
【請求項１６】
前記表示機能層が液晶層である
請求項１５に記載の表示装置。
【請求項１７】
前記表示制御回路が形成された回路基板と、
前記回路基板と対向して配設された対向基板と
を備え、
前記回路基板に前記共通電極および前記表示画素電極が絶縁層を介して順に積層され、
前記回路基板の前記表示画素電極と、前記対向基板との間に、前記表示機能層が挿設されている
請求項１１ないし請求項１４のいずれか１項に記載の表示装置。
【請求項１８】
前記表示機能層が液晶層であり、横電界モードでの液晶表示が行われる
請求項１７に記載の表示装置。
【請求項１９】
タッチセンサ付きの表示装置を備え、
前記表示装置は、
複数の表示画素電極と、
前記表示画素電極と対向して設けられた共通電極と、
画像表示機能を有する表示機能層と、
画像信号に基づいて、前記表示画素電極と前記共通電極との間に表示用電圧を印加して前記表示機能層の表示機能を発揮させるように画像表示制御を行う表示制御回路と、
前記共通電極と対向して、または並んで設けられ、前記共通電極との間に静電容量を形成するタッチ検出電極と、
前記表示制御回路により前記共通電極に印加される表示用駆動電圧をタッチセンサ用駆動信号として利用し、前記タッチ検出電極から得られる検出信号に基づき、物体が接触または近接する位置の検出動作を行うタッチ検出回路と
を有し、
前記共通電極がストライプ状の複数の電極パターンに分割されていると共に、これら複数の電極パターンのうちの一部の電極パターンに対して前記タッチセンサ用駆動信号が印加されることにより、その時点での駆動ラインが形成されるようになされており、
前記タッチ検出回路は、第１の期間において形成される第１駆動ラインから得られる第１検出信号と、前記第１の期間とは異なる第２の期間において形成される、前記第１駆動ラインよりもライン幅が小さい第２駆動ラインから得られる第２検出信号とに基づいて、検出動作を行う
電子機器。
【手続補正２】
【補正対象書類名】明細書
【補正対象項目名】００６９
【補正方法】変更
【補正の内容】
【００６９】
一方、第２の期間において、表示駆動用ラインＬ２のみから得られる検出信号Ｖdet#b（第２検出信号）の波形は、例えば図１３（Ｂ）に示したようになり、この第２の期間において得られる検出信号Ｖdet#bは、以下の（２）式で表される。すなわち、この検出信号Ｖdet#bも、基本的には、交流信号源Ｓによる電位変動成分Ｖａ（＝Ｖ１／（ｎ＋１））と、ノイズによる電位変動成分Ｖｂ（＝Ｖｎ）とから構成されることになる。ただし、例えば、表示画素２０の解像度の一例としてＷＶＧＡ（Wide Video Graphics Array）とすると、ｎ＝８６４となると共に、ｍ＝１００とすると、（１），（２）式はそれぞれ、（１００／８６４）Ｖ１＋Ｖｎ，（１／８６４）Ｖ１＋Ｖｎとなる。したがって、（２）式における電位変動成分Ｖａの値は、（１）式における電位変動成分Ｖａの値の（１／１００）となり、ノイズによる電位変動成分Ｖｂ（Ｖｎ）に対して十分に小さくなる。つまり、（２）式における交流信号源Ｓによる電位変動分Ｖａは無視できるほど十分に小さいことから、この（２）式における検出信号Ｖdet#bの成分は、ノイズによる電位変動成分Ｖｂのみと考えることができる。